(57)【要約】【課題】消火装置の検査方法及び装置において、簡素な設備で高精度な検査を可能とする。【解決手段】消火装置を用いて微小火炎Ｆにウォータミストを噴射し、この微小火炎Ｆの着火状態あるいは消火状態に応じてウォータミストの噴射による消火能力の確認を行うと共に、消火装置による噴射領域に対して外部から微小火炎Ｆを接近し、この微小火炎Ｆの着火状態あるいは消火状態に応じてウォータミストの噴射による消火可能領域の確認を行う。【選択図】        図１
2004337420.tif 000002
【特許請求の範囲】
【請求項１】
消火装置を用いて微小火炎に散水し、該微小火炎の着火状態あるいは消火状態に応じて前記散水による消火能力の確認を行うことを特徴とする消火装置の検査方法。
【請求項２】
消火装置による散水領域に対して外部から微小火炎を接近し、該微小火炎の着火状態あるいは消火状態に応じて前記散水による消火可能領域の確認を行うことを特徴とする消火装置の検査方法。
【請求項３】
請求項２記載の消火装置の検査方法において、前記散水領域に対して、前記微小火炎を前記散水方向及び該散水方向に直行する方向に沿って移動することで、前記散水による消火可能領域を設定することを特徴とする消火装置の検査方法。
【請求項４】
請求項１または２記載の消火装置の検査方法において、前記微小火炎は、ろうそくに着火した火炎であることを特徴とする消火装置の検査方法。
【請求項５】
請求項１または２記載の消火装置の検査方法において、前記微小火炎は、金網で覆われた状態のろうそくに着火した火炎であることを特徴とする消火装置の検査方法。
【請求項６】
請求項１または２記載の消火装置の検査方法において、前記散水は、水を噴霧したウォータミストであることを特徴とする消火装置の検査方法。
【請求項７】
消火装置の散水ノズルを支持するノズル支持手段と、微小火炎と、前記散水ノズルの散水領域内で前記微小火炎を支持する微小火炎支持手段とを具えたことを特徴とする消火装置の検査装置。
【請求項８】
請求項７記載の消火装置の検査装置において、前記散水領域に対して前記微小火炎を接近させる微小火炎移動手段を設けたことを特徴とする消火装置の検査装置。
【請求項９】
請求項８記載の消火装置の検査装置において、前記微小火炎移動手段は、前記散水領域に対して、前記微小火炎を前記散水方向及び該散水方向に直行する方向に沿って移動可能であることを特徴とする消火装置の検査装置。
【請求項１０】
請求項７記載の消火装置の検査装置において、前記微小火炎は、ろうそくに着火した火炎であることを特徴とする消火装置の検査装置。
【発明の詳細な説明】
【０００１】
【発明の属する技術分野】
本発明は、建物などの消火設備として採用される消火装置の検査方法及び装置に関する。
【０００２】
【従来の技術】
建物の消火設備としては、例えば、スプリンクラーや貯水タンクにホースを用いて接続される消火ノズルなどがあり、火元を検出して水などの消火液を噴射し、この火元の火炎を消火するようにしている。このような消火装置は、一般に、水を圧送して火元に噴射して消火するものであるが、このときの水損を防止する目的で、水を霧状にしてこの噴霧を火元に供給して消火する技術が例えば、下記に記載した特許文献１として提案されている。
【０００３】
【特許文献１】
特開２０００−０９３５３６
【０００４】
上述した消火装置では、消防法の検査基準をクリアする必要があり、事前に消火装置による消火実験を行っている。具体的には、耐火性を有して排煙設備を備えた実験室に、消火対象物として木材を組み立てて消火物模型を作製する。そして、この消火物模型に着火し、消火装置を用いて消火物模型の火炎を消火し、この消火装置の性能、即ち、火炎を消火可能であるか、消火範囲がどのくらいの大きさなのか等を確認するようにしている。
【０００５】
【発明が解決しようとする課題】
ところが、上述した消火装置の検査方法では、消火対象物として木材を組み立てた消火物模型を実際に燃やし、消火装置によりこれを消火して検査を行うことから、耐火性を有して排煙設備を備えた実験室が必要となる。そのため、検査設備が大掛かりなものとなり、検査に多大な費用がかかると共に、長い検査時間を要してしまうという問題がある。
【０００６】
また、特に、上述した噴霧水を利用した消火装置では、着火している消火物模型に噴霧水を供給して消火するため、消火装置による消火範囲の特定が困難となり、十分な検査を行うことができない。
【０００７】
本発明はこのような問題を解決するものであって、簡素な設備で高精度な検査を可能とした消火装置の検査方法及び装置を提供することを目的とする。
【０００８】
【課題を解決するための手段】
上述の目的を達成するための請求項１の発明の消火装置の検査方法は、消火装置を用いて微小火炎に散水し、該微小火炎の着火状態あるいは消火状態に応じて前記散水による消火能力の確認を行うことを特徴とするものである。
【０００９】
請求項２の発明の消火装置の検査方法は、消火装置による散水領域に対して外部から微小火炎を接近し、該微小火炎の着火状態あるいは消火状態に応じて前記散水による消火可能領域の確認を行うことを特徴とするものである。
【００１０】
請求項３の発明の消火装置の検査方法では、前記散水領域に対して、前記微小火炎を前記散水方向及び該散水方向に直行する方向に沿って移動することで、前記散水による消火可能領域を設定することを特徴としている。
【００１１】
請求項４の発明の消火装置の検査方法では、前記微小火炎は、ろうそくに着火した火炎であることを特徴としている。
【００１２】
請求項５記載の消火装置の検査方法では、前記微小火炎は、金網で覆われた状態のろうそくに着火した火炎であることを特徴としている。
【００１３】
請求項６の発明の消火装置の検査方法では、前記散水は、水を噴霧したウォータミストであることを特徴としている。
【００１４】
請求項７の発明の消火装置の検査装置は、消火装置の散水ノズルを支持するノズル支持手段と、微小火炎と、前記散水ノズルの散水領域内で前記微小火炎を支持する微小火炎支持手段とを具えたことを特徴とするものである。
【００１５】
請求項８の発明の消火装置の検査装置では、前記散水領域に対して前記微小火炎を接近させる微小火炎移動手段を設けたことを特徴としている。
【００１６】
請求項９の発明の消火装置の検査装置では、前記微小火炎移動手段は、前記散水領域に対して、前記微小火炎を前記散水方向及び該散水方向に直行する方向に沿って移動可能であることを特徴としている。
【００１７】
請求項１０の発明の消火装置の検査装置では、前記微小火炎は、ろうそくに着火した火炎であることを特徴としている。
【００１８】
【発明の実施の形態】
以下、本発明の実施の形態を図面に基づいて詳細に説明する。
【００１９】
図１に本発明の一実施形態に係る消火装置の検査方法を実施するための検査装置の正面視、図２に本実施形態の消火装置の検査装置の平面視、図３に移動台に支持された微小火炎の正面視、図４に消火装置の概略構成、図５に消火装置における噴射ノズルの概略、図６にろうそくの概略、図７に実施形態の消火装置の検査装置により特定した消火領域を表すグラフを示す。
【００２０】
本実施形態の消火装置の検査方法は、消火装置を用いて微小火炎に消火液を噴射（散水）し、この微小火炎の着火状態あるいは消火状態に応じて消火液の噴射による消火能力の確認を行うと共に、消火装置による噴射領域に対して外部から微小火炎を接近し、この微小火炎の着火状態あるいは消火状態に応じて消火液の噴射による消火可能領域の確認を行うものである。
【００２１】
即ち、本実施形態の消火装置の検査方法を実施するための消火装置の検査装置において、図１乃至図３に示すように、実験室の床面１１上の所定位置には、基板１２に支持棒１３が立設されたノズル支持手段としての支持台１４が設置されている。この支持台１４の上端部には水平な取付部材１５を介して消火装置の噴射ノズル５１が支持されており、この噴射ノズル５１はホース５２を介して図示しない消火液の供給源に連結されている。
【００２２】
また、実験室の床面１１上には、噴射ノズル５１から所定距離離間して、微小火炎支持手段並びに微小火炎移動手段としての移動台２１が車輪２２により床面１１上を移動自在に支持されている。この移動台２１の側部には昇降台２３が昇降自在に装着されており、この昇降台２３には水平な支持ロッド２４の基端部が連結されている。そして、この支持ロッド２４の先端部はほほ直角に上方に屈曲して火炎支持部材２５が取付けられ、この火炎支持部材２５に微小火炎Ｆを構成するろうそく２６を装着可能となっている。
【００２３】
従って、所定位置に設置された支持台１４の噴射ノズル５１から消火液を噴射（散水）すると、この消火液の噴射領域Ａに対して、移動台２１に支持されたろうそく２６の微小火炎Ｆを移動し、この微小火炎Ｆの着火状態あるいは消火状態に応じて消火装置の噴射による消火能力を確認することができる。また、消火液の噴射領域Ａに対して、移動台２１に支持されたろうそく２６の微小火炎Ｆを接近し、この微小火炎Ｆの着火状態あるいは消火状態に応じて消火液による消火可能領域を確認することができる。このとき、移動台２１を移動すると共に昇降台２３を昇降することで、微小火炎Ｆを、噴射領域Ａに対して、その噴射方向及びこの噴射方向に直行する方向に沿って移動し、消火可能領域を確認することができる。
【００２４】
ここで、本実施形態の消火装置について詳細に説明する。図４及び図５に示すように、噴射ノズル２６は、空気噴射口５３の中央部に水噴射口５４が配設されてなり、空気噴射口５３の基端部にはホース５２ａを介してコンプレッサ５５が接続される一方、水噴射口５４の基端部にはホース５２ｂを介して水供給ポンプ５６及び貯水槽５７が接続されている。
【００２５】
従って、コンプレッサ５５を駆動してホース５２ａを通して空気を噴射ノズル５１に圧送する一方、ポンプ５６を駆動して貯水槽５７の水をホース５２ｂを通して噴射ノズル５１に圧送する。すると、水噴射口５４から噴射された水は、空気噴射口５３から噴射された空気により霧状となって噴射され、ウォータミストとなって微小火炎Ｆに供給される。このウォータミストは、水粒子が細かく、火炎Ｆとの熱交換が容易であり、消火には水の顕熱に加えて蒸発潜熱が効果的に費やされることとなり、少量の水で消火することができる。
【００２６】
以下、上述した本実施形態の検査装置による消火装置の検査方法について説明する。図１乃至図３に示すように、まず、所定の位置に噴射ノズル５１が支持された支持台１３を設置する一方、この噴射ノズルの前方に移動台２１に支持されたろうそく２６を移動し、このろうそく２６に着火して微小火炎Ｆを発生させる。この状態で、噴射ノズル５１から消火液、つまり、水を加圧空気により霧状としたウォータミストを噴射する。そして、このウォータミストによりろうそく２６の微小火炎Ｆが消火されるかどうかを確認することで、消火装置の消火能力を評価することができる。
【００２７】
このように消火装置の消火能力が良好であることが確認されると、噴射ノズル５１の前方から移動台２１に支持されたろうそく２６を消火液の噴射領域Ａの外に移動する。そして、噴射ノズル５１から消火液、つまり、水を加圧空気により霧状としたウォータミストを噴射する一方、ろうそく２６に着火して微小火炎Ｆを発生させる。この状態で、移動台２１に支持されたろうそく２６の微小火炎Ｆを消火液の噴射領域Ａに接近していき、この微小火炎Ｆの着火状態（消火状態）によりウォータミストでの消火の境界を確認することで、消火可能領域を設定することができる。
【００２８】
この消火液の噴射領域Ａに対して、その外方から水平方向に微小火炎Ｆを移動して接近させる場合、微小火炎Ｆの高さを変更したり、噴射ノズル５１までの距離を変更することで、消火可能領域を３次元的に把握することができる。
【００２９】
また、噴射ノズル５１から噴射されるウォータミストは、前述したように、その粒径が非常に細かい（概ね４００μｍ以下）ものの、比較的大きな水粒子が発生して混在したり、吹き消しによる消火が発生することがある。そのため、消火装置の消火能力を高精度に判定するには、この比較的大きな水粒子や吹き消しによる消火などの不確定な消火能力を除外する必要がある。
【００３０】
そこで、図６に示すように、ろうそく２６に円筒形状の金網２７を被せて微小火炎Ｆを囲った状態で、消火装置の検査を実施するようにすると良い。即ち、この金網２７によりウォータミスト中の比較的大きな水粒子や吹き消し効果を除外することができ、消火可否の判定精度を高めることができる。なお、ウォータミストの状態により金網２７を２重、あるいはそれ以上に重ねて用いるようにしても良い。
【００３１】
このような消火装置の検査を実施した結果を図７のグラフに示す。この図７に表す検査結果のグラフは、噴射ノズル５１の上下方向距離に対する噴霧軸方向距離における消火可能領域を表すものである。グラフａは、ろうそく２６の微小火炎Ｆに対する消火可能領域を表すものであり、グラフｂは、ろうそく２６に金網２７を装着した微小火炎Ｆに対する消火可能領域を表すものである。そして、グラフｆ１、ｆ２、ｆ３は、従来の消火模型の火炎の領域を表すものである。
【００３２】
この図７のグラフから、ろうそく２６の微小火炎Ｆに対する消火可能領域ａと、ろうそく２６に金網２７を装着した微小火炎Ｆに対する消火可能領域ｂを特定することができる。また、従来の消火模型の火炎Ｆ１、Ｆ２、Ｆ３に対して、ウォータミストを供給しても、火炎Ｆ１は消火可能領域ａ，ｂとほぼ重なるため、実際にも火炎Ｆ１は消火され、良好な判定結果とすることができる。ところが、火炎Ｆ２、Ｆ３は消火可能領域ａ，ｂと重ならないため、従来の検査方法では、この火炎Ｆ２、Ｆ３の領域全てが消火不可能領域と判定されてしまう。しかし、実際には、従来の検査方法で消火不可能領域と判定された火炎Ｆ２、Ｆ３の領域の一部は、消火可能領域であり、従来の検査方法では、誤判定を招いてしまう。
【００３３】
このように本実施形態の消火装置の検査方法及び装置にあっては、消火装置を用いて微小火炎Ｆにウォータミストを噴射し、この微小火炎Ｆの着火状態あるいは消火状態に応じてウォータミストの噴射による消火能力の確認を行うと共に、消火装置による噴射領域に対して外部から微小火炎ＧＦを接近し、この微小火炎Ｆの着火状態あるいは消火状態に応じてウォータミストの噴射による消火可能領域の確認を行うようにしている。
【００３４】
従って、従来のように、消火対象物として組み立てた消火物模型を実際に燃やす必要はなく、耐火性を有して排煙設備を備えた大掛かりな実験室を不要として、検査コストの低減が可能となり、簡素な設備で高精度な検査を可能とすることができる。
【００３５】
なお、本実施形態にて、微小火炎Ｆをろうそく２６の火炎としたが、これに限らず、ライターの火炎や簡易な点火機器などを用いて微小火炎を発生させるようにしても良い。また、消火装置の散水をウォータミストとしたが、水だけを噴射してウォータミストとしたり、水と空気を圧送してウォータミストとしてもよく、また、単に水を圧送する消火装置にも適用することができる。
【００３６】
【発明の効果】
以上、実施形態において詳細に説明したように請求項１の発明の消火装置の検査方法によれば、消火装置を用いて微小火炎に散水し、この微小火炎の着火状態あるいは消火状態に応じて散水による消火能力の確認を行うようにしたので、消火対象物として大掛かりな消火物模型を製作したり、これを実際に燃やしたりする必要はなく、耐火性を有して排煙設備を備えた実験室を不要として、検査コストの低減を可能とすることができ、簡素な設備で高精度な検査を可能とすることができる。
【００３７】
請求項２の発明の消火装置の検査方法によれば、消火装置による散水領域に対して外部から微小火炎を接近し、この微小火炎の着火状態あるいは消火状態に応じて散水による消火可能領域の確認を行うようにしたので、消火対象物として大掛かりな消火物模型を製作したり、これを実際に燃やしたりする必要はなく、耐火性を有して排煙設備を備えた実験室を不要として、検査コストの低減を可能とすることができると共に、消火装置による消火可能領域も確認することができ、簡素な設備で高精度な検査を可能とすることができる。
【００３８】
請求項３の発明の消火装置の検査方法によれば、散水領域に対して、微小火炎を散水方向及び散水方向に直行する方向に沿って移動することで散水による消火可能領域を設定するようにしたので、消火火炎領域を３次元の領域として設定し、消火装置の判定を高精度に行うことができる。
【００３９】
請求項４の発明の消火装置の検査方法によれば、微小火炎をろうそくに着火した火炎としたので、実際の火炎により近似したものを用いることで、消火設備の検査を確実で高精度に判定することができる。
【００４０】
請求項５の発明の消火装置の検査方法によれば、微小火炎を金網で覆われた状態のろうそくに着火した火炎としたので、実際の火炎により近似したものを用い、比較的大きな水粒子や吹き消しによる消火などの不確定な消火能力を除外することができ、消火設備の検査を確実で高精度に判定することができる。
【００４１】
請求項６の発明の消火装置の検査方法によれば、散水を水を噴霧したウォータミストとしたので、効率的な消火装置に対しても確実に検査を行うことができる。
【００４２】
請求項７の発明の消火装置の検査装置によれば、消火装置の散水ノズルを支持するノズル支持手段と、微小火炎と、散水ノズルの散水領域内で微小火炎を支持する微小火炎支持手段と設けたので、消火対象物として大掛かりな消火物模型を製作したり、これを実際に燃やしたりする必要はなく、耐火性を有して排煙設備を備えた実験室を不要として、検査コストの低減を可能とすることができ、簡素な設備で高精度な検査を可能とすることができる。
【００４３】
請求項８の発明の消火装置の検査装置によれば、散水領域に対して微小火炎を接近させる微小火炎移動手段を設けたので、消火対象物として大掛かりな消火物模型を製作したり、これを実際に燃やしたりする必要はなく、耐火性を有して排煙設備を備えた実験室を不要として、検査コストの低減を可能とすることができると共に、消火装置による消火可能領域も確認することができ、簡素な設備で高精度な検査を可能とすることができる。
【００４４】
請求項９の発明の消火装置の検査装置によれば、微小火炎移動手段は、散水領域に対して、微小火炎を散水方向及び散水方向に直行する方向に沿って移動可能であるので、消火火炎領域を３次元の領域として設定し、消火装置の判定を高精度に行うことができる。
【００４５】
請求項１０の発明の消火装置の検査装置によれば、微小火炎をろうそくに着火した火炎としたので、実際の火炎により近似したものを用いることで、消火設備の検査を確実で高精度に判定することができる。
【図面の簡単な説明】
【図１】本発明の一実施形態に係る消火装置の検査方法を実施するための検査装置の正面図である。
【図２】本実施形態の消火装置の検査装置の平面図である。
【図３】移動台に支持された微小火炎の正面図である。
【図４】消火装置の概略構成図である。
【図５】消火装置における噴射ノズルの概略図である。
【図６】ろうそくの概略図である。
【図７】実施形態の消火装置の検査装置により特定した消火領域を表すグラフである。
【符号の説明】
１４  支持台（ノズル支持手段）
２１  移動台（微小火炎支持手段、微小火炎移動手段）
２６  ろうそく
２７  金網
５１  噴射ノズル
Ｆ  微小火炎
【図１】
2004337420.tif 000003
【図２】
2004337420.tif 000004
【図３】
2004337420.tif 000005
【図４】
2004337420.tif 000006
【図５】
2004337420.tif 000007
【図６】
2004337420.tif 000008
【図７】
2004337420.tif 000009